(57)【特許請求の範囲】
【請求項１】
粘土や石膏等で人間、人間の一部分、動物等の像を造形する際、像内部に配されて像芯部をなす塑像芯材において、
この塑像芯材(1) が、折り曲げ自在な金属製棒状体から構成された芯部材(2) と、塑像芯材に強度を持たせる合成樹脂から構成された被覆部材(3) とを備え、
芯部材(2) が、像芯部の基本形態をなすように形成され、
被覆部材(3) が、芯部材(2) と一体成形により芯部材(2) の外周を略全面に渡って覆うことにより、塑像芯材(1) が適宜位置から折り曲げ成形できるようになされたものであり、
塑像芯材(1) の一部(14)が、厚肉部(16)と、厚肉部(16)に隣接して形成された薄肉部(17)とを備え、薄肉部(17)の断面積が厚肉部(16)の断面積より小さくなされ、且つ、薄肉部(17)が厚肉部(16)よりも曲げ易いものであり、この厚肉部(16)が像の関節部に相応する部分に設けられたものであり、この塑像芯材に付着させた粘土や石膏等の重みで厚肉部(16)から垂れ下がることを防止したことを特徴とする塑像芯材。
【請求項２】
厚肉部(16)の芯部材(2)の径が、薄肉部(17)の芯部材(2) の径よりも大きいことを特徴とする請求項１記載の塑像芯材。
【発明の詳細な説明】
【０００１】
【産業上の利用分野】
本願発明は、人間、人間の顔や手等の一部分、動物等の像を粘土や石膏等で造形する際に使用される塑像芯材の改良に関するものである。
【０００２】
【従来の技術】
塑像芯材は、全体に粘土や石膏等を付着させて人間や、人間の顔、手等の一部分、あるいは動物等の像を造形するものであるため、折り曲げ可能な金属製の針金から構成すると粘土や石膏等を付着させ難い。そのため、従来から折り曲げ可能な針金を芯部材とし、これに麻紐を巻き付けるようにしたもの等が知られている。ところが、針金に麻紐を巻き付けたのでは、部品点数が多くなるとともに、塑像芯材の製作に時間がかかってしまう。そのため、本出願人は、実開平３−１０５８７２号公報に、合成樹脂製からなる塑像芯材を提案した。この塑像芯材は、全体が人間、人間の顔や手等の一部分、動物等の像芯部の基本形態をなす形状に折り曲げ自在な弾力性を有する合成樹脂から形成されたものである。しかしながら、全体を合成樹脂のみから構成したのでは、弾力性を有するため、例えば人間像を造形する際、手の肘部を曲げた状態にしようとして所望の角度に折り曲げても弾性によりある程度の量が戻ってしまい折り曲げ当初の状態が維持できず、適宜な形状に折り曲げ成形し難い。その結果、人間像全体を適宜な形状に表現できないという課題がある。その一方、折り曲げ易いように細く形成しておくと、強度不足となり、粘土や石膏等を付着させた後、時間の経過により粘土や石膏等の重みで折り曲げた先端部の手の部分が折り曲げ部等から徐々に垂れ下がってきてしまうという課題がある。
【０００３】
【発明が解決しようとする課題】
本願発明は、以上の実情に鑑み提案されたもので、適宜な形状に折り曲げ成形し易く、しかも、充分な強度を有し折り曲げた部分が粘土や石膏等の重みで垂れ下がるおそれのない塑像芯材を提供することにある。
【０００４】
【課題を解決するための手段】
粘土や石膏等で人間、人間の一部分、動物等の像を造形する際、像内部に配されて像芯部をなす塑像芯材において本願発明は、次の特徴を有するものを提供することにより上記課題を解決する。本願第１の発明の塑像芯材は、折り曲げ自在な金属製棒状体から構成された芯部材２と、塑像芯材に強度を持たせる合成樹脂から構成された被覆部材３とを備える。芯部材２は、像芯部の基本形態をなすように形成される。被覆部材３は、芯部材２と一体成形により芯部材２の外周を略全面に渡って覆うことにより、塑像芯材１が適宜位置から折り曲げ成形できるようになされたものである。さらに、この塑像芯材１の一部１４が、厚肉部１６…１６と、厚肉部１６…１６に隣接して形成された薄肉部１７とを備え、薄肉部１７の断面積は、厚肉部１６の断面積より小さくなされ、且つ、薄肉部１７が厚肉部１６よりも曲げ易いものであり、この厚肉部１６が像の関節部に相応する部分に設けられたものであり、この塑像芯材に付着させた粘土や石膏等の重みで厚肉部１６から垂れ下がることを防止したことを特徴とする。
【０００５】
本願の第２の発明は、第１の発明に係る塑像芯材において、厚肉部１６の芯部材２の径が、薄肉部１７の芯部材２の径よりも大きいことを特徴とするものを提供する。
【０００６】
【作用】
本願発明の塑像芯材においては、被覆部材３を、像芯部の基本形態をなす芯部材２と一体成形により芯部材２の外周を略全面に渡って覆うため、使用に際しては単に折り曲げ成形すれば良いものにできる。しかも、所望の角度に折り曲げれば芯部材２によって被覆部材３の弾性力を抑えることができ、被覆部材３の弾性による戻りを防止して折り曲げ当初の状態に維持できる。又、被覆部材３と芯部材２とにより充分な強度を持たせることができ、粘土や石膏等を付着させた後、時間の経過により粘土や石膏等の重みで折り曲げた部分から徐々に垂れ下がってきてしまうというようなことを防止できる。
【０００７】
特に、本願発明の塑像芯材においては、塑像芯材における像の関節部に相応する部分に厚肉部１６を備えるとともに、厚肉部１６に隣接して厚肉部１６より断面積の小さい薄肉部１７を備える。一般的に像を造形する場合、関節部に相応する部分は、鋭角に曲げる等してかなりの量を折り曲げ、関節部の側部は、湾曲状に形成する等して微量だけ折り曲げることにより、像を表現するが、上記のように像の関節部に相応する部分に、厚肉部１６を備えておくことにより、厚肉部１６がかなりの量で折り曲げられた状態で粘土や石膏等を付着されても粘土や石膏等の重みで厚肉部１６から垂れ下がるようなことを防止できる。その一方、厚肉部１６に比して断面積を小さくした薄肉部１７…１７を厚肉部１６に隣接して備えておくことにより、湾曲状に形成する等の微量の折り曲げをし易くでき、像の細かな表現を容易にできる。
【０００８】
【実施例】
以下、具体的に本願発明の塑像芯材の一実施例を説明する。図１は、塑像芯材の一実施例の成形後の平面図、図４は、折り曲げ成形後の側面図である。
【０００９】
本実施例における塑像芯材１は、図１に示すように人間像の像芯部として形成されており、胴部１１と、首部１２と、頭部１３と、二つの腕部１４…１４と、二つの足部１５…１５とから構成され、各部が適宜折り曲げ成形されることにより、図４に示すように全体が所望の人間像の形態に表現できるようになされたものである。各部は、図２に示すように折り曲げ自在な金属製棒状体からなる芯部材２と、この芯部材２の外周全体を覆った合成樹脂からなる被覆部材３とにより構成されている。
【００１０】
芯部材２は、主に強度補強材をなすもので、図４に示すように全体に渡って内設されており、塑像芯材１を所定角度に折り曲げた際に被覆部材３の弾力によって元に戻らないようにその折り曲げた折り曲げ当初の角度を維持させるとともに、粘土等を付着した後に粘土等の重みで折り曲げ部等から垂れ下がるのを防止する役目を果たす。この芯部材２の太さは、鋼製針金の場合、直径１〜５ｍｍ程度のものが好ましく、より好ましくは直径２〜４ｍｍ程度のものである。直径が１ｍｍ以下になると強度補強材としての上記役目を果たせず、一方、５ｍｍ以上になると、折り曲げが困難になってしまうからである。
【００１１】
被覆部材３は、粘土等の付着を容易にする役目をなすとともに、芯部材２と相まって塑像芯材１に強度を持たせるもので、合成樹脂から構成され、芯部材２と一体成形されることにより胴部１１、首部１２、頭部１３、二つの腕部１４…１４、二つの足部１５…１５に至る芯部材２の外周全体を覆っている。尚、この被覆部材３は、芯部材２を覆った後に全体を折り曲げできるような素材であれば良く、特に限定されないが、塩化ビニル系又はポリエチレン系等の弾性力の大きいものから構成すれば折り曲げ成形が容易になる点で好ましい。
【００１２】
この被覆部材３で被覆した一体成形後の塑像芯材１における二つの腕部１４…１４、二つの足部１５…１５の各部は、適宜な形の像を表現するために大きく折り曲げられる部分であり、直径４〜１５ｍｍ程度に形成され、より好ましくは直径５〜１０ｍｍ程度の範囲で形成しておくと良い。直径が４ｍｍ以下になると強度が弱くなり粘土等を付着した後に粘土等の重みで徐々に垂れ下がるおそれが生じ、その一方、直径が１５ｍｍ以上になると折り曲げし難くなるからである。
【００１３】
又、この実施例では、特に大きく折り曲げられることになる像の関節部に相応する部分には、厚肉部１６…１６が備えられ、厚肉部１６…１６に隣接した部分には、厚肉部１６…１６より断面積の小さくした薄肉部１７…１７が備えられている。一般的に人間や動物の像を造形する場合、図４に示すように関節部に相応する部分は、鋭角に曲げる等、かなりの量が折り曲げられ、関節部の側部は、あまり折り曲げられず、折り曲げられる場合でも湾曲状に形成する等して微量だけ折り曲げられて全体像が表現されるが、上記のようにかなりの量が折り曲げられる像の関節部に相応する部分に厚肉部１６…１６を備えておくことにより、厚肉部１６…１６がかなりの量で折り曲げられて粘土や石膏等を付着されても粘土や石膏等の重みで厚肉部１６…１６から垂れ下がるようなことを防止できる。しかも、鋭角に曲げる場合には折り曲げ部の外側では折り曲げに伴い被覆部材３が伸ばされて肉厚が薄くなるが、このようにして予め厚くしておくことによりこれを防止できる。その一方、厚肉部１６…１６の側部を厚肉部１６…１６に比して断面積を小さくして薄肉部１７…１７を設けておくことにより、湾曲状に形成する等の微量の折り曲げをする場合も折り曲げ易くでき、像の細かな表現を容易に行うことができる。しかも、特に強度の必要な厚肉部１６…１６の断面積のみを大きくしておくことにより、材料の減少化を図ることができ、経済的なものにできる。
【００１４】
尚、この厚肉部１６…１６は、被覆部材３の肉厚のみを厚くして全体の径を径大にしても良いが、被覆部材３のみをあまり径大にすると折り曲げた際に被覆部材３の弾力により元に戻り易くなってしまうため、図２に示すように厚肉部１６…１６における芯部材２も部分的に径大にしておけばより強度を高めることができるとともに、被覆部材３の弾力による戻りも防止できる点でより好ましい。又、この厚肉部１６…１６は、断面円形状にするものに限らず、断面長方形状に形成しても良いが、断面円形状の場合は、あらゆる方向に容易に曲げられるのに対して断面長方形状にした場合は、幅方向の肉厚が厚くなりすぎて幅方向へ折り曲げ難くなる点で、断面円形状に形成するのが好ましい。又、断面円形状に形成する場合の径の大きさは、上述の範囲、即ち直径１５ｍｍ以下で行えば容易に折り曲げられる。
【００１５】
一方、胴部１１及び首部１２の太さは、本実施例では折り曲げ易さ及び強度面を考慮して全体を腕部１４や足部１５における厚肉部１６…１６と略同太さにしている。又、頭部１３は、あまり折り曲げられることがないため、他の部分より太く形成されている。尚、胴部１１や首部１２に、腕部１４や足部１５のように薄肉部１７…１７を設けるようにしても良く、一方、頭部１３を、胴部１１や首部１２の太さと同じ又はそれ以下の太さにしても良い。
【００１６】
又、本実施例では、図１に示すように被覆部材３の表面及び裏面全体に、規則的に複数の突起１８…１８が、一体的に形成されており、粘土等の付着を確実なものにしている。
【００１７】
以上のように構成すことにより、折り曲げた際に被覆部材３の弾力によって元に戻るようなことがなく、容易に所定角度に折り曲げ形成でき、全体を適宜な形状の像に表現できるものとなる。又、粘土等を付着した後においては、像の関節部に相応する厚肉部１６…１６を局部的に太くしているため、粘土等の重みで厚肉部１６…１６から垂れ下がるのを防止することができ。一方、芯部材２と被覆部材３とを一体成形により形成しているため、全体を一つのものから構成でき、単に折り曲げれば適宜な形状の芯材を形成でき、学童等にとって使用便宜なものとなる。又、芯部材２を金属製棒状体のみから構成した場合には複数回の折り曲げにより硬化して折れてしまうといった課題があったが、芯部材２と被覆部材３とを一体成形により形成することでそのようなことを防止できる。
【００１８】
尚、像の関節部に相応する全部分に厚肉部１６…１６を形成しなくても良く、特に大きく折り曲げられる部分にのみ設けるようにすれば良い。
【００１９】
又、本実施例では、塑像芯材の形状を、人間像の像芯部に形成しているが、これに限らず、例えば図５に示すように胴部１１、首部１２、頭部１３、四つの足部１８…１８、及び尾１９からなる動物像の像芯部に形成し、あるいは、人間の手や顔等の一部、恐竜等、あらゆる像芯部に適応できる。尚、この図５に示す動物像の像芯部においては、首部１２及び尾１９に厚肉部１６…１６と薄肉部１７…１７とから構成するとともに、あまり折り曲げられることがない胴部１１を、厚肉部１６以上の太さで形成し、強度の強いものとしている。
【００２０】
【発明の効果】
以上、本願第１の塑像芯材は、所望の角度に折り曲げれば芯部材によって被覆部材の弾性力を抑え、被覆部材の弾性による戻りを防止して折り曲げ当初の状態に維持でき、適宜な形状に折り曲げ成形し容易なものにできる。しかも、被覆部材と芯部材とにより充分な強度を持たせることができ、粘土や石膏等を付着させた後、時間の経過により粘土や石膏等の重みで折り曲げた部分が折り曲げ部等から徐々に垂れ下がってきてしまうというようなことを防止できる。しかも、本願第１の発明の効果に加え、厚肉部がかなりの量で折り曲げられて粘土や石膏等を付着されても粘土や石膏等の重みで厚肉部から垂れ下がるようなことを防止できる。その一方、厚肉部に隣接した部分を厚肉部に比して断面積を小さくしておくため、湾曲状に形成する等の微量の折り曲げをし易くでき、像の細かな表現を容易に行うことができる。
【図面の簡単な説明】
【図１】本願発明の塑像芯材の成形後の平面図である。
【図２】厚肉部の一部を断面にした拡大図である。
【図３】図２のIII −III 線に沿う断面図である。
【図４】塑像芯材を折り曲げた状態の側面図である。
【図５】他の実施例の折り曲げた状態の側面図である。
【符号の説明】
１ 塑像芯材
２ 芯部材
３ 被覆部材
１６ 厚肉部
１７ 薄肉部
【図１】
0003846913.tif 000002
【図２】
0003846913.tif 000003
【図３】
0003846913.tif 000004
【図４】
0003846913.tif 000005
【図５】
0003846913.tif 000006